(57)【特許請求の範囲】
【請求項１】
照明装置に搭載可能な画像記録モジュールであって、
撮像部により撮像された画像に基づいて生成された画像データを記録する記録手段と、
第１の無線通信回線を介して前記画像データを端末装置へ送信することが可能な第１通信部と、
予め設定された、特定認証コードを記憶する記憶手段を有し、前記第１の無線通信回線とは異なる第２の無線通信回線を介してリモコンキーから送信される認証コード及び制御信号を受信し、前記認証コードが前記記憶手段に記憶される前記特定認証コードと一致する場合にのみ、前記制御信号に従って前記第１通信部を制御して、前記第１通信部による前記端末装置への前記画像データの送信を、前記第１通信部をＯＮ状態に移行させることで許容し、及び前記第１通信部をＯＦＦ状態に移行させることで停止する第２通信部と、
を具備し、
前記記録手段は、前記制御信号に関係なく前記画像データを記録し、
前記記録手段、前記第１通信部、及び前記第２通信部は、前記照明装置から電源の供給
を受けて動作することを特徴とする画像記録モジュール。
【請求項２】
前記記憶手段は、当該画像記録モジュールが配置される特定の領域に割り当てられた前記特定認証コードであって、該特定の領域に配置される他の複数の画像記録モジュールにより共有される前記特定認証コードを記憶する、請求項１に記載の画像記録モジュール。
【請求項３】
前記特定の領域は、市、町、村、区、郡、都、道、府、県、州、国及びこれらの組み合わせのうちの少なくとも１つである、請求項２に記載の画像記録モジュール。
【請求項４】
請求項１から請求項３のいずれかに記載の画像記録モジュールを備えた照明装置。
【発明の詳細な説明】
【技術分野】
【０００１】
本発明は、照明装置に搭載され画像データを記録する画像記録モジュールに関する。
【背景技術】
【０００２】
屋外に設置された照明装置に搭載され画像データを記録する画像記録装置としては、特開２０１３−１５３３０４号公報（特許文献１）に記載されたものが知られている。この文献に開示された画像記録装置は、電柱や街燈等の照明装置に取り付けられる監視カメラ及びこの監視カメラを制御する制御部等により構成される。この画像記録装置に含まれた監視カメラは、撮像した画像に基づいて生成された画像データを、この画像記録装置とは離れた場所に配置され、映像記録装置、モニタ及び制御部等により構成された記録制御部に対して、無線ＬＡＮ等の無線通信回線を介して常時送信する。記録制御部は、受信した画像データを記録する。これにより、利用者は、記録制御部に記録された画像データを解析することができる。
【先行技術文献】
【特許文献】
【０００３】
【特許文献１】特開２０１３−１５３３０４号公報
【発明の概要】
【発明が解決しようとする課題】
【０００４】
特許文献１に記載された装置は、不特定多数の人々の画像を記録するものである。このような画像をこれらの人々の同意なく公開することは、肖像権及び個人情報の保護等という観点から防止されなければならない。ところが、特許文献１に記載された装置は、監視カメラが画像データを無線通信回線を介して記録制御部に対して常時送信する構成を採用しているため、このように無線通信回線を介して常時送信される画像データは、たとえ暗号化されているとしても、遅かれ早かれ解読され公開される恐れがある。
そこで、本発明の様々な実施形態により、安全性を向上させた画像記録モジュールを提供する。
【課題を解決するための手段】
【０００５】
本発明の一態様に係る画像記録モジュールは、照明装置に搭載可能な画像記録モジュールであって、撮像部により撮像された画像に基づいて生成された画像データを記録する記録手段と、第１の無線通信回線を介して前記画像データを送信することが可能な通信手段であって、前記第１の無線通信回線とは異なる第２の無線通信回線を介して受信した制御信号に従って動作する通信手段と、を具備する。
本発明の一態様に係る通信方法は、照明装置に搭載可能な画像記録モジュールを用いた通信方法であって、撮像部により撮像された画像に関連した画像データを記録する段階と、第１の無線通信回線を介した画像データの送信を、前記第１の無線通信回線とは異なる第２の無線通信回線を介して受信した制御信号に従って制御する段階と、を含む。
【発明の効果】
【０００６】
本発明の様々な実施形態によれば、安全性を向上させた画像記録モジュールを提供することができる。
【図面の簡単な説明】
【０００７】
【図１】図１は、本発明の一実施形態に係る画像記録モジュールを用いた画像記録システム１００の一例を示す模式図である。
【図２】図２（ａ）及び図２（ｂ）は、それぞれ、本発明の一実施形態に係る画像記録モジュールを搭載した照明装置の構成の一例を示す側面図及び底面図である。
【図３】図３は、本発明の一実施形態に係る画像記録モジュールの構成の一例を示すブロック図である。
【図４】図４は、本発明の一実施形態に係る画像記録モジュールを用いた画像記録システムの具体例を示す模式図である。
【発明を実施するための形態】
【０００８】
以下、添付図面を参照して、本発明の様々な実施形態を説明する。なお、各図面において共通する構成要素には同一の参照符号が付されている。
【０００９】
図１は、本発明の一実施形態に係る画像記録モジュールを用いた画像記録システム１００の一例を示す模式図である。
画像記録システム１００は、主に、電柱や街燈４０等に取り付けられ、画像データを記録する画像記録モジュールを搭載した照明装置２００と、照明装置２００から画像データを受信するモバイルルータ３００と、モバイルルータ３００から画像データを受信する端末装置４００と、照明装置１１０による画像データの通信を制御するＩＲ（赤外線）リモコンキー５００と、を含む。
【００１０】
照明装置２００は、第１の無線通信回線１０を介して、画像データをモバイルルータ３００に送信する。第１の無線通信回線１０は、無線ＬＡＮ、赤外線通信回線、移動体通信回線等を含む様々な無線通信回線であるが、ここでは、一例として、無線ＬＡＮである。
【００１１】
中継装置の一態様としてのモバイルルータ３００は、照明装置２００から第１の無線通信回線１０を介して受信した画像データを、第３の無線通信回線２０を介して、端末装置４００に送信する。第３の無線通信回線２０もまた、無線ＬＡＮ、赤外線通信回線、移動体通信回線等を含む様々な無線通信回線であるが、ここでは、一例として、無線ＬＡＮである。
【００１２】
遠隔操作装置の一態様としてのＩＲリモコンキー５００は、第２の無線通信回線３０を介して、照明装置２００による第１の無線通信回線１０を介した無線通信をＯＮ／ＯＦＦする。第２の無線通信回線３０は、無線ＬＡＮ、赤外線通信回線、移動体通信回線等を含む様々な無線通信回線であるが、ここでは、一例として、赤外線通信回線である。
【００１３】
端末装置４００は、パーソナルコンピュータ、携帯電話、タブレット、スマートフォン、携帯情報端末等を含む任意の装置であって、第３の無線通信回線２０を介してモバイルルータ３００と通信可能な装置である。
【００１４】
なお、３つの無線通信回線を区別するために、便宜的に、「第１」〜「第３」という名称を用いているが、これらの名称は、本発明を限定するものではなく、いずれの無線通信回線は、どのような名称を用いて区別されるようにしてもよい。
【００１５】
次に、照明装置２００の構成についてさらに図２を参照して説明する。図２（ａ）及び図２（ｂ）は、それぞれ、本発明の一実施形態に係る画像記録モジュールを搭載した照明装置の構成の一例を示す側面図及び底面図である。
【００１６】
図２（ａ）及び図２（ｂ）に示すように、照明装置２００は、下方に開口部を有する箱型の筐体２１０と、筐体２１０の開口部を覆う透明又は半透明のカバー２２０と、筐体２１０を電柱や街燈４０等に結合する支持フレーム２３０と、筐体２１０に収納された画像記録モジュール２４０と、カバー２２０から露出するようにカバー２００（及び筐体２１０）に取り付けられ、画像記録モジュール２４０の一部として又は画像記録モジュール２４０とは別体として設けられた撮像部（カメラ）２５０と、筐体２１０に収納された図示しない発光素子を含む。
【００１７】
支持フレーム２３０は、略コ字状の断面形状を維持しながら全体的に略ヘ字状に延びる形状を有するように形成されている。支持フレーム２３０は、その一端２３２が電柱や街燈４０等に取り付けられ、その他端２３４が筐体２１０の上面に結合されることにより、筐体２１０を支持する。
【００１８】
筐体２１０は、その内部において、１又は複数の（図示しない）発光素子、及び、画像記録モジュール２４０、及び、撮像部２５０を収納する。筐体２１０の側面には、図示しない貫通孔が設けられている。この貫通孔を介して、筐体２１０の内部には、電源コード２６０が挿入されている。この電源コード２６０を介して、発光素子、画像記録モジュール２４０及び撮像部２５０に対して、電源が供給される。
【００１９】
次に、画像記録モジュール２４０の構成についてさらに図３を参照して説明する。図３は、本発明の一実施形態に係る画像記録モジュール２４０の構成の一例を示すブロック図である。
図３に示すように、画像記録モジュール２４０は、上述した撮像部２５０と、画像圧縮記録部２４２と、第１通信部２４４と、第２通信部２４６と、電源供給部２４８と、を含む。
【００２０】
撮像部２５０は、相補性金属酸化膜半導体（ＣＭＯＳ）や電荷結合素子（ＣＣＤ）等を含む任意の撮像素子を備え、画像データを生成して画像圧縮記録部２４２に出力する。一実施形態では、撮像部２５０は、常時、動作するように構成されることによって、常時、画像データを画像圧縮記録部２４２に出力する。
【００２１】
画像圧縮記録部２４２は、撮像部２５０から受信した画像データを圧縮して、ＭＰＥＧ−２方式、Ｍｏｔｉｏｎ−ＪＰＥＧ方式、ＪＰＥＧ方式、ＪＰＥＧ２０００方式、ＭＰＥＧ−４方式、Ｈ.２６１方式、Ｈ.２６４方式、及び、Ｈ.２６５方式等を含む任意の動画圧縮方式に従って圧縮された画像データを生成する。画像圧縮記録部２４２は、ＲＡＭ、ハードディスク、フラッシュメモリ、ＳＤカード等の任意の記憶領域に、圧縮された画像データを記憶することができる。画像圧縮記録部２４２は、電源供給部２４８から電源の供給を受けることにより動作することができる。一実施形態では、画像圧縮記録部２４２は、撮像部２５０に電源を供給するが、別の実施形態では、撮像部２５０は、電源供給部２４８から直接的に電源の供給を受けることも可能である。また、一実施形態では、画像圧縮記録部２４２は、常時、動作するように構成されることによって、常時、撮像部２５０から送られてくる画像データを圧縮して記録するとともに第１通信部２４４に送信することができる。
【００２２】
第１通信部２４４は、画像圧縮記録部２４２から受信した画像データを、第１の無線通信回線１０を介して、モバイルルータ３００に送信することができる。具体的には、第１通信部２４４は、第２通信部（切換部）２４６から電源の供給を受けるとともに、第２通信部２４６により制御されることによって、第１の無線通信回線１０を介した画像データの送信を実行又は停止する。
一実施形態では、第１通信部２４４は、第２通信部２４６により画像データの送信を許容されているときには、画像圧縮記録部２４２から常時送信されてくる画像データを逐一モバイルルータ３００に送信することができる。別の実施形態では、第１通信部２４４は、第２通信部２４６により画像データの送信を許容されているときには、モバイルルータ３００を介して端末装置４００により指定された時間帯に対応する画像データのみを、画像圧縮記録部２４２から取り出してモバイルルータ３００に送信することができる。この場合、第２通信部２４６は、端末装置４００により指定された時間帯に対応する画像データについては、画像圧縮記録部２４２により記録された画像データに含まれているタイムスタンプの中から対応するタイムスタンプを指定することにより、任意の時間帯に対応する画像データを取得することができる。
【００２３】
第２通信部２４６は、電源供給部２４８から電源の供給を受け、第２の無線通信回線３０を介して、ＩＲリモコンキー５００と無線通信を行う。具体的には、第２通信部（切換部）２４６は、ＩＲリモコンキー５００から制御信号（第１通信部２４４をＯＮすべき旨の制御信号又は第１通信部２４４をＯＦＦすべき旨の制御信号）を受信する。第２通信部２４６は、ＩＲリモコンキー５００から、第１通信部２４４をＯＮすべき旨の制御信号を受信した場合には、第１通信部２４４による画像データの送信を許容し、逆に、第１通信部２４４をＯＦＦすべき旨の制御信号を受信した場合には、第１通信部２４４による画像データの送信を停止させる。
【００２４】
なお、第２通信部２４６は、ＩＲリモコンキー５００から受信した制御信号に従って、第１通信部２４４による画像データの送信を実行又は停止させるように動作することが可能なものであって、この制御信号は、画像圧縮記録部２４２による画像データの圧縮及び記録に影響を与えるものではない。すなわち、画像圧縮記録部２４２は、撮像部２５０から受信した画像データを、第２通信部２４６がＩＲリモコンキー５００から受信した制御信号とは関係なく、圧縮して記録し続けることができる。
【００２５】
一実施形態では、第２通信部２４６は、この画像記録モジュール２４０に設定された特定認証コードを記憶する記憶部（図示しない）を備えており、ＩＲリモコンキー５００から制御信号とともに受信した、又は、制御信号に関連して受信した認証コードと上記記憶部に記憶された特定認証コードとが一致する場合にのみ、上記のように第１通信部２４４を制御する。
一実施形態では、上記特定認証コードを記憶する記憶部は、第２通信部２４６に含まれていてもよいし、画像記録モジュール２４０に含まれていてもよい。
また、一実施形態では、上記記憶部に記憶される特定認証コードは、更新可能なものである。
【００２６】
なお、図３に示した機能ブロック図は、一例に過ぎないものであって、限定的に解釈すべきものではない。例えば、第１通信部２４４と第２通信部２４６とはそれぞれ別々のブロックにより表現されているが、同一の目的を達成する限りにおいて、両者を同一のブロックとして捉えることも可能である。また、各機能ブロックが直接的に又は間接的に電源供給部２４８から電源の供給を受けるかどうかという点も、同一の目的を達成する限りにおいて重要ではない。
【００２７】
次に、一実施形態に係る画像記録モジュールを用いた画像記録システム１００の動作について、図１〜図３を参照して説明する。
まず、照明装置２００に搭載された画像記録モジュール２４０の撮像部２５０及び画像圧縮記録部２４２は、常時、動作している。これにより、画像圧縮記録部２４２は、常時、画像データを記憶領域に記録し続けている。また、第２通信部２４６もまた、常時、動作しており、第２の無線通信回線３０を介して送信されてくる制御信号を受信することが可能な状態にある。これに対して、第１通信部２４４は、通常は、ＯＦＦ状態にある。
【００２８】
正当な利用者は、画像記録モジュール２４０に対応したＩＲリモコンキー５００を所有している。この利用者が、第２の無線通信回線３０が利用可能な範囲において、ＩＲリモコンキー５００に設けられたボタン（例えばＯＮボタン）を押圧することにより、ＩＲリモコンキー５００は、第２の無線通信回線３０を介して第２通信部２４６に対して、第１通信部２４４をＯＮにすべき旨の制御信号を送信する。この制御信号を受信した第２通信部２４６は、第１通信部２４４を、ＯＮ状態にして、第１の無線通信回線１０を介した通信が可能な状態に移行させる。
なお、一実施形態では、第２通信部２４６は、ＩＲリモコンキー５００から、画像記録モジュール２４０に割り当てられた特定認証コードと同一の認証コードを受信した場合にのみ、ＯＦＦ状態にある第１通信部２４４をＯＮ状態に移行させることができる。この利用者は、正当な利用者であるため、画像記録モジュール２４０に対応したＩＲリモコンキー５００（すなわち、画像記録モジュール２４０に設定されている特定認証コードと同一の認証コードを送信するＩＲリモコンキー５００）を所有している。よって、この正当な利用者は、当然、ＩＲリモコンキー５００を用いて、ＯＦＦ状態にある第１通信部２４４をＯＮ状態に移行させることができる。
【００２９】
次に、この利用者は、モバイルルータ３００及び端末装置４００を動作させ、端末装置４００を第３の無線通信回線２０を介してモバイルルータ３００に接続させる。これにより、端末装置４００は、第３の無線通信回線２０及び第１の無線通信回線１０を介して、第１通信部２４４に接続可能な状態となる。
【００３０】
端末装置４００には、画像記録モジュール２４０を操作するための専用のアプリケーションがインストールされている。利用者は、専用のアプリケーションを起動させ、このアプリケーション上において特定の操作を行うことにより、画像記録モジュール２４０を操作することができる。例えば、利用者は、専用のアプリケーションにおいて、既に画像圧縮記録部２４２により所定の記憶領域に記録されている画像データのうち、所望の範囲の画像データを指定すると、端末装置４００は、これに対応した適切な情報を第１通信部２４４に送信する。これに応答して、第１通信部２４４は、画像圧縮記録部２４２（の記憶領域）にアクセスして対応する画像データを取得し、取得した画像データを第１の無線通信回線１０及びモバイルルータ３００を介して端末装置４００に送信する。端末装置４００は、受信した画像データを、上記専用のアプリケーションを介して、利用者に提示（表示）することができる。
また、一実施形態では、端末装置４００は、上記専用アプリケーションを介して、リアルタイム方式により第１通信部２４４から画像データを受信することも可能である。すなわち、端末装置４００は、撮像部２５０により生成され、画像圧縮記録部２４２により圧縮及び記録された画像データを、遅滞なく又は僅かな時間差を生じさせることのみによって、第１通信部２４４及びモバイルルータ３００を介して受信して利用者に提示（表示）することができる。
【００３１】
この後、画像データの取得を完了した利用者がＩＲリモコンキー５００に設けられたボタン（例えばＯＦＦボタン）を押圧することにより、ＩＲリモコンキー５００は、第２通信部２４６に対して、第１通信部２４４をＯＦＦにすべき旨の制御信号を送信する。この制御信号を受信した第２通信部２４６は、第１通信部２４４を、ＯＦＦ状態にして、第１の無線通信回線１０を介した通信が不可能な状態に移行させる。
なお、一実施形態では、第２通信部２４６は、第１通信部２４４がモバイルルータ３００との通信（例えば画像データの送信）を停止した時点から所定の時間（例えば３０分等）が経過した場合には、強制的に第１通信部２４４をＯＦＦ状態に移行させるようにしてもよい。これにより、利用者が第１通信部２４４に対するＯＦＦ操作を失念した場合であっても、所定時間が経過したときには、第１通信部２４４が自動的にＯＦＦ状態に移行するため、安全性を確保することができる。
【００３２】
なお、図１〜図３を参照して上述した実施形態では、第１通信部２４４が、モバイルルータ３００を介して、端末装置４００に対して画像データを送信する場合について説明した。しかし、本発明は、このような実施形態に限定されるものではなく、例えば、第１通信部２４４が、第１の無線通信回線１０を介して、端末装置４００に対して直接的に画像データを送信する態様をも包含するものである。かかる態様の一例としては、第１通信部２４４と端末装置４００とがアドホック通信を実行する構成が挙げられる。また、一実施形態では、第１通信部２４４及び端末装置４００は、これら両者の間においてアドホック通信が可能となるように、工場出荷時において設定されるものとすることができる。この場合、第１通信部２４４及び端末装置４００の各々は、固有の識別情報（例えば、１６桁の１６進数により表現されたＭＡＣアドレス）を有しており、第１通信部２４４が、端末装置４００からこの端末装置４００に固有のＭＡＣアドレスを受信し、かつ、端末装置４００が、第１通信部２４４からこの第１通信部２４４に固有のＭＡＣアドレスを受信した場合にのみ、第１通信部２４４は、端末装置４００に対して画像データを送信することができるようにしてもよい。これにより、第１通信部２４４は、工場出荷時に設定された端末装置にのみ、画像データを送信するので、画像記録モジュール２４０のセキュリティを高めることができる。
【００３３】
次に、上述した画像記録システム１００の具体的な利用例について、さらに図４を参照して説明する。
図４は、本発明の一実施形態に係る画像記録モジュールを用いた画像記録システムの具体例を示す模式図である。図４には、相互に異なる複数の地域として、例えば、地域６１０、地域６２０及び地域６３０が示されている。ここで、地域とは、例えば、市、町、村、区、郡、都、道、府、県、州、国及びこれらの組み合わせのうちの少なくとも１つを（これらに限定せずに）含むものである。なお、ここでは、地域６１０〜地域６３０は、それぞれ、町６１０〜町６３０であるものとして説明する。
【００３４】
町６１０〜町６３０の各々には、多数の電柱や街燈等４０が配置されている。これらの電柱や街燈４０等の各々には、上述した画像記録モジュール２４０が搭載されている。図４には、簡略化のため、電柱や街燈等４０は示されておらず、代わりにこれらの各々に搭載される画像記録モジュール２４０の存在のみが示されている。
【００３５】
町６１０に設置された各画像記録モジュール２４０は、特定認証コードとして、町６１０に割り当てられた特定認証コード（ここでは「特定認証コードＡ」という。）を記憶している。また、町６２０に設置された各画像記録モジュール２４０は、特定認証コードとして、町６２０に割り当てられた特定認証コード（ここでは「特定認証コードＢ」という。）を記憶している。同様に、町６３０に設置された各画像記録モジュール２４０は、特定認証コードとして、町６３０に割り当てられた特定認証コード（ここでは「特定認証コードＣ」という。）を記憶している。
【００３６】
町６１０に割り当てられた特定認証コードＡを送信可能なＩＲリモコンキー５００Ａは、町６１０の責任者（例えば自治会長）により所有及び管理されている。町６２０に割り当てられた特定認証コードＢを送信可能なＩＲリモコンキー５００Ｂは、町６２０の責任者（例えば自治会長）により所有及び管理されている。同様に、町６３０に割り当てられた特定認証コードＣを送信可能なＩＲリモコンキー５００Ｃは、町６３０の責任者（例えば自治会長）により所有及び管理されている。
【００３７】
よって、例えば、町６１０に設置された画像記録モジュール２４０から画像データを受信することができるのは、ＩＲリモコンキー５００Ａを所有する町６１０の自治会長又はこの自治会長からＩＲリモコンキー５００Ａを貸与された者（例えば警察官）のみである。同様に、町６２０（町６３０）に設置された画像記録モジュール２４０から画像データを受信することができるのは、ＩＲリモコンキー５００Ｂ（５００Ｃ）を所有する町６２０（町６３０）の自治会長又はこの自治会長からＩＲリモコンキー５００Ｂ（５００Ｃ）を貸与された者（例えば警察官）のみである。
【００３８】
このことが図４に例示されている。すなわち、ＩＲリモコンキー５００Ａを所有する者は、町６１０に設置された画像記録モジュール２４０の第１通信部２４４をＯＮ／ＯＦＦ制御することが可能であるが、町６２０又は町６３０に設置された画像記録モジュール２４０の第１通信部２４４をＯＮ／ＯＦＦ制御することは不可能である。
【００３９】
例えば、町６１０〜町６３０のそれぞれに設置された画像記録モジュール２４０は、対応する町の自治会長により管理されるとともに、町６１０〜町６３０のそれぞれに割り当てられたＩＲリモコンキー５００は、対応する町の自治会長により保管される。また、町６１０〜町６３０のそれぞれに設置された画像記録モジュール２４０に対して第１の無線通信回線１０を介して通信可能なモバイルルータ３００は、警察により保管される。
事件の発生等により、町６１０に設置された画像記録モジュール２４０により記録された画像データを調査する必要がある警察官は、町６１０の自治会長からＩＲリモコンキー５００Ａの貸与を受ける。これにより、警察官は、町６１０に設置されたすべての画像記録モジュール２４０から画像データを受信して調査することができる。同様に、町６２０又は町６３０に設置された画像記録モジュール２４０をも調査する必要がある場合には、警察官は、町６２０又は町６３０の自治会長からＩＲリモコンキー５００Ｂ又は５００Ｃの貸与を受けることにより、町６２０又は町６３０に設置された画像記録モジュール２４０から画像データを受信して調査することができる。
【００４０】
一実施形態では、複数の町、例えば、町６１０及び町６２０の画像データが必要な場合には、町６１０及び町６２０のそれぞれの自治会長の許可を得た警察官が、町６１０及び町６２０に設置されたすべての画像記録モジュール２４０に対して、共通の特定認証コード（例えば特定認証コードＺ）を設定するとともに、町６１０又は町６２０の自治会長から貸与されたＩＲリモコンキー５００が特定認証コードＺを送信するようにこのＩＲリモコンキー５００を設定することによって、警察官は、このＩＲリモコンキー５００を用いて、町６１０及び町６２０の両方に設置されたすべての画像記録モジュール２４０から画像データを受信して調査することができる。
【００４１】
以上説明したように、本発明の様々な実施形態によれば、利用者は、必要なときにだけ、遠隔操作装置（例えばＩＲリモコンキー）を用いて、画像記録モジュール２４０の第１通信部２４４を起動して、この第１通信部２４４から画像データを取得する。よって、第１通信部２４４が常時画像データを送信するような構成を採用する場合に比べて、画像データが無線通信回線を介して送信される時間を短くすることができるため、無線通信回線を介して送信された画像データが他者により盗聴（ハッキング）される可能性を抑えることができる。
【００４２】
また、本発明の様々な実施形態に係る画像記録モジュールは、簡単な構成を有するため、電柱や街燈等に設けられた照明装置に簡単に取り付ける（工事する）ことが可能なものである。さらに、高価な装置は何ら必要ではなく、また、維持していく上で別途必要とされる部品等もない。したがって、価格、初期コスト及びランニングコストを抑えることも可能である。
【００４３】
また、監視カメラにより生成された画像データを記憶する制御ボックスを電柱や街燈等において利用者の手の届く高さに設置し、物理的な鍵を用いて制御ボックスを開いて専用ケーブルを用いて画像データをダウンロードするような構成を採用する場合には、制御ボックスを取り付けるための許可を東京電力（登録商標）から得ることが非常に困難であるという問題、制御ボックスを取り付ける工賃がかさむという問題、制御ボックスを取り付ける工事が簡便ではないという問題、及び、制御ボックスを開くための物理的な鍵は、コピー又は他人に貸与されるという危険性があるという問題が生ずる。ところが、本発明の様々な実施形態に係る画像記録モジュールによれば、このような問題のすべてを解消することができる。
【００４４】
したがって、本発明の様々な実施形態によれば、安全性を向上させた画像記録モジュールを提供することができる。
【符号の説明】
【００４５】
１０  第１の無線通信回線
２０  第３の無線通信回線
３０  第２の無線通信回線
４０  電柱、街燈等
１００  画像記録システム
２００  照明装置
２４０  画像記録モジュール
２４２  画像圧縮記録部
２４４  第１通信部
２４６  第２通信部（切換部）
２４８  電源供給部
２５０  撮像部
３００  中継装置（モバイルルータ）
４００  端末装置
５００  遠隔操作装置（ＩＲリモコンキー）
【図１】
0006522296.tif 000002
【図２】
0006522296.tif 000003
【図３】
0006522296.tif 000004
【図４】
0006522296.tif 000005